(57)【要約】  【課題】  妊婦に生じる足骨格や腰椎の変化に伴う姿勢の不安定化を効果的に補正することができるシューズを提供する。  【解決手段】  アウトソール１１とミッドソール１２からなるシューズ底部１０の上面形状を、後半部において内側Ｉが外側Ｏよりも水平に対し２〜８度の傾斜角度で高く、かつ、踵部Ｈが踏みつけ部Ｓよりも３〜５ｍｍ高くなるように設定する。ここで、ミッドソール１２を、ベースとなる上面がほぼ平坦な第１ミッドソール部１２ａと、第１ミッドソール部１２ａ上の後半部に積層する第２ミッドソール部１２ｂとから構成し、第２ミッドソール部１２ｂにより、上記の内側Ｉ外側Ｏ方向の傾斜角度及び踏みつけ部Ｓと踵部Ｈ間の高低差を具現化させる。【選択図】      図２
0003106921.tif 000002
【実用新案登録請求の範囲】
【請求項１】
シューズの底部上面の後半部において水平に対し２〜８度の傾斜角度で内側が外側よりも高くなり、かつ、該底部上面において踵部が踏みつけ部よりも３〜７ｍｍ高くなるように設定したことを特徴とするシューズ。
【請求項２】
前記シューズは妊婦のためのものである請求項１記載のシューズ。
【請求項３】
前記底部はミッドソールとアウトソールとからなり、前記内側外側方向の傾斜角度及び踏みつけ部と踵部間の高低差をミッドソールに設けた請求項１又は２記載のシューズ。
【請求項４】
前記ミッドソールは、ベースとなる上面がほぼ平坦な第１ミッドソール部と、第１ミッドソール部上の後半部に積層する第２ミッドソール部とからなり、第２ミッドソール部が、前記内側外側方向の傾斜角度及び踏みつけ部と踵部間の高低差を当該ミッドソールに具現化する請求項３記載のシューズ。
【請求項５】
シューズの底部上面の後半部において水平に対し２〜８度の傾斜角度で内側が外側よりも高くなり、かつ、該底部上面において踵部が踏みつけ部よりも３〜７ｍｍ高くなるように設定された当該シューズの製造に使用するラストであって、前記シューズの底部上面の形状に合致する底面を有することを特徴とするシューズ製造用ラスト。
【考案の詳細な説明】
【技術分野】
【０００１】
本考案は、産前及び産後の妊婦のためのシューズ及びこのシューズの製造に用いるラスト（木型）に関する。
【背景技術】
【０００２】
妊娠中の女性は、出産に備えて骨盤を開きやすくするために黄体ホルモンが分泌され、これと同時に身体全体の関節が緩む。このような関節の緩みに加え、体重増加の負担を受けるため、妊婦は、足裏の骨格が崩れやすく、過回内しやすくなり、更にこれを起因として、扁平足、足底筋膜炎、膝痛、腰痛などの障害が発生しやすい。また、妊娠時は、骨盤が前方に落ち込み、腰椎が過前湾になりやすく、これも腰痛発生の原因となっている。
【０００３】
そのため、妊婦が妊娠前のシューズをそのまま履き続けると、踵が高すぎる等により、姿勢が不安定になりやすく、上記過回内や過前湾が助長されてしまう。この点を解消するため、従来は、シューズの中敷の表面形状を調整して、妊婦の足骨格や腰椎のバランスの悪化を補正するようにしていた。しかしながら、中敷は荷重を受けて変形しやすく、補正効果が不十分であった。
【考案の開示】
【考案が解決しようとする課題】
【０００４】
本考案は、以上の点に着目してなされたもので、その目的は、妊婦に生じる足骨格や腰椎の変化に伴う姿勢の不安定化を効果的に補正することができるシューズを提供することにある。
【課題を解決するための手段】
【０００５】
上記課題を解決するため、本考案によれば、シューズの底部上面の後半部において水平に対し２〜８度の傾斜角度で内側が外側よりも高くなり、かつ、該底部上面において踵部が踏みつけ部よりも３〜７ｍｍ高くなるように設定したことを特徴とするシューズが提供される。かかるシューズは専ら妊婦（産後を含む）のためのものである。
【０００６】
本考案に係るシューズは、靴本体底部（靴底）の上面形状を、イ）後半部（土踏まず部分から踵部分の範囲）において内側が外側よりも水平に対し２〜８度の傾斜角度で高く、かつ、ロ）踵部の高さを踏みつけ部よりも３〜７ｍｍ高くしたものである。上記イ）により、主に過回内しやすくなる妊婦の足骨格の変化を、内側を高くすることで補正することができ、また、上記ロ）により、過前湾になりやすい腰椎の変化を、踵部を低くすることで補正することができる。
【０００７】
なお、上記イ）の左右方向（内側−外側間）の傾斜角度が２度未満の場合、補正効果がほとんど現れず、また、８度を超えると、内側が高くなりすぎて、かえって姿勢を不安定にするおそれが生じる。更に、上記ロ）の踏みつけ部に対する踵部の高さが３ｍｍ未満では踵が低くすぎて姿勢を不安定化し、７ｍｍを超えると通常のシューズとほぼ同様の踵高さとなって既述した不都合が生じる。
【０００８】
本考案において、前記底部はミッドソールとアウトソールとからなり、前記内側外側方向の傾斜角度及び踏みつけ部と踵部間の高低差をミッドソールに設けることができる。すなわち、上記イ）及びロ）のシューズ底部の上面形態をミッドソールに具現化するものである。本考案では更に、前記ミッドソールが、ベースとなる上面がほぼ平坦な第１ミッドソール部と、第１ミッドソール部上の後半部に積層する第２ミッドソール部とからなり、第２ミッドソール部が、前記内側外側方向の傾斜角度及び踏みつけ部と踵部間の高低差を当該ミッドソールに具現化するようにすることができる。
【０００９】
以上の本考案に係るシューズは、シューズの基本構造に所定の傾斜及び高低差を付与するため、中敷のように変形することがほとんどなく、妊婦に生じる足骨格や腰椎の変化に伴う姿勢の不安定化を効果的に補正して、歩行時の過回内や過前湾を有効に防止することができる。
【００１０】
別の本考案によれば、シューズの底部上面の後半部において水平に対し２〜８度の傾斜角度で内側が外側よりも高くなり、かつ、該底部上面において踵部が踏みつけ部よりも３〜７ｍｍ高くなるように設定された当該シューズの製造に使用するラストであって、前記シューズの底部上面の形状に合致する底面を有することを特徴とするシューズ製造用ラストが提供される。かかるラスト（靴型）は、上述した本考案に係るシューズを作成する際に用いるもので、該ラストの底面において、上記シューズ底部の上面形状に合致するよう、内側外側方向の傾斜角度及び踏みつけ部と踵部間の高低差が相補的に設定される。
【考案を実施するための最良の形態】
【００１１】
以下、本考案の好適な実施形態を図面を参照して説明する。図１は本考案に係るシューズの底部の縦断面図であり、図２は図１のＡ−Ａ線に沿うシューズ底部の横断面図である。なお、図中、シューズ底部に接合されるアッパー（甲被）は省略される。
【００１２】
シューズ底部１０は、下層のアウトソール（本底）１１と上層のミッドソール（中底）１２とからなり、ミッドソール１２は、ベースとなる第１ミッドソール部１２ａと、後述する本シューズの特徴形態を具現化させる第２ミッドソール部１２ｂとからなる。これらアウトソール１１、第１及び第２ミッドソール部１２ａ、１２ｂは、接着剤で相互に接合されるが、図１では、アウトソール１１とミッドソール１２（第１ミッドソール部１２ａ）が前方部分において分離して、両者が接合前の状態であることを便宜的に示している。
【００１３】
シューズ底部１０は、その上面形状に次の二つの特徴を有している。第１は、図２に示されるように、後半部（土踏まず部分から踵部分の範囲（図３のハッチング部分参照））において内側Ｉが外側Ｏよりも高く、かつ、内側Ｉと外側Ｏ間の面が水平に対し２〜８度の傾斜角度とした点である。この傾斜角度は、本実施例において８度に設定されている。第２は、図１に示されるように、踵部Ｈの高さを踏みつけ部Ｓよりも３〜７ｍｍ高くした点であり、本実施例において踵部Ｈと踏みつけ部Ｓの高低差Ｄは５ｍｍに設定されている。
【００１４】
上記第１及び第２の特徴点は、シューズ底部１０の全域にわたりかつ上面が平坦な第１ミッドソール部１２ａをベースにして、上記傾斜角度と高低差Ｈ分の高さとを具備させた第２ミッドソール部１２ｂを、第１ミッドソール部１２ａの後半部（図３のハッチング部分参照）上に積層することにより、ミッドソール１２に具現化されている。なお、第２ミッドソール１２ｂは、前端から踵部Ｈへと次第に厚くなり、踵部Ｈにおいて厚さが一定とされている。
【００１５】
図４及び図５は、以上のシューズ底部１０とアッパー（図示せず）とを接合して本シューズを製造する際に用いるラスト（木型）２０の側面図と、この図のＢ−Ｂ線に沿う断面図である。ラスト２０は、上述したミッドソール１２の上面形状に合致する底面２１を有している。すなわち、底面２１は、その後半部において、外側Ｏ’が内側Ｉ’よりも下方に突出して内側Ｉ’が上方に引っ込んでおり、この外側Ｏ’−内側Ｉ’間の面が水平に対し２〜８度で傾斜している。更に、踏みつけ部対応部分Ｓ’が踵部対応部分Ｈ’よりも３〜７ｍｍ下方に突出して踵部対応部分Ｈ’が上方に引っ込んでいる。かかる上記シューズ専用のラスト２０を使用することにより、既述したシューズを所期どおり作成することができる。
【図面の簡単な説明】
【００１６】
【図１】本考案に係るシューズの底部の縦断面図である。
【図２】図１のＡ−Ａ線に沿うシューズ底部の横断面図である。
【図３】シューズ底部の平面図であり、第２ミッドソール部の範囲を示すものである。
【図４】本考案に係るラストの側面図である。
【図５】図４のＢ−Ｂ線に沿う断面図である。
【符号の説明】
【００１７】
１０  シューズの底部
１１  アウトソール
１２  ミッドソール
１２ａ  第１ミッドソール部
１２ｂ  第２ミッドソール部
２０  ラスト
２１  ラストの底面
Ｉ、Ｉ’  内側
Ｏ、Ｏ’  外側
Ｈ  踵部
Ｓ  踏みつけ部
Ｈ’  踵部対応部分
Ｓ’  踏みつけ部対応部分
【図１】
0003106921.tif 000003
【図２】
0003106921.tif 000004
【図３】
0003106921.tif 000005
【図４】
0003106921.tif 000006
【図５】
0003106921.tif 000007